(57)【要約】【課題】本発明は、設定情報の更新により被制御システムに不具合が発生した場合であっても、バックアップデータによるコンピュータシステムの再構築を行うことなく復旧することができるコンピュータシステム及びその稼動方法の提供を目的とする。【解決手段】本発明に係るコンピュータシステム及びその稼動方法は、少なくとも１台のバックアップシステムサーバ１３及びバックアップシステム用記憶装置１４を、メインシステムサーバ１１及びメインシステム用記憶装置１２と独立に備え、バックアップシステムサーバ１３及びバックアップシステム用記憶装置１４に、それぞれ、稼動実績のあるメインシステムサーバ１１及びメインシステム用記憶装置１２をレプリケーションすることを特徴とする。【選択図】図１
2009116560.tif 000002
【特許請求の範囲】
【請求項１】
被制御システムを動作させるアプリケーションプログラムを実行するメインシステムサーバと、
前記メインシステムサーバの実行するアプリケーションプログラムの動作設定を定める設定情報を記憶するメインシステム用記憶装置と、
前記メインシステムサーバの実行するアプリケーションプログラムと同じアプリケーションプログラムを実行するバックアップシステムサーバと、
前記バックアップシステムサーバの実行するアプリケーションプログラムの動作設定を定める設定情報を記憶するバックアップシステム用記憶装置と、を備え、
前記メインシステムサーバは、前記メインシステム用記憶装置の記憶する設定情報に従ってアプリケーションプログラムを実行し、
前記バックアップシステムサーバは、前記バックアップシステム用記憶装置の記憶する設定情報に従ってアプリケーションプログラムを実行し、
前記バックアップシステム用記憶装置の記憶する設定情報は、前記メインシステム用記憶装置が過去に記憶していた設定情報のレプリケーションであることを特徴とするコンピュータシステム。
【請求項２】
前記バックアップシステム用記憶装置の記憶する設定情報が、前記メインシステム用記憶装置が予め定められた期日に記憶していた設定情報のレプリケーションであることを特徴とする請求項１に記載のコンピュータシステム。
【請求項３】
前記バックアップシステム用記憶装置の記憶する設定情報が、前記メインシステム用記憶装置が記憶している設定情報の変更前における設定情報のレプリケーションであることを特徴とする請求項１又は２に記載のコンピュータシステム。
【請求項４】
被制御システムを動作させるアプリケーションプログラムを実行するメインシステムサーバと、前記メインシステムサーバの実行するアプリケーションプログラムの動作設定を定める設定情報を記憶するメインシステム用記憶装置と、前記メインシステムサーバの実行するアプリケーションプログラムと同じアプリケーションプログラムを実行するバックアップシステムサーバと、前記バックアップシステムサーバの実行するアプリケーションプログラムの動作設定を定める設定情報を記憶するバックアップシステム用記憶装置と、を備えるコンピュータシステムの稼動方法であって、
前記メインシステムサーバが、前記メインシステム用記憶装置の記憶する設定情報に従ってアプリケーションプログラムを実行するメインシステムサーバ稼動ステップと、
前記バックアップシステム用記憶装置が、前記メインシステム用記憶装置が過去に記憶していた設定情報のレプリケーションを記憶するレプリケーションステップと、
前記被制御システムの不具合を検出する異常判定ステップと、
前記被制御システムの不具合が生じた場合に、前記バックアップシステムサーバが、前記バックアップシステム用記憶装置の記憶する設定情報に従ってアプリケーションプログラムを実行するバックアップシステムサーバ稼動ステップと、
を順に有することを特徴とするコンピュータシステムの稼動方法。
【請求項５】
前記レプリケーションステップにおいて、前記メインシステム用記憶装置が予め定められた期日に記憶していた設定情報のレプリケーションを記憶することを特徴とする請求項４に記載のコンピュータシステムの稼動方法。
【請求項６】
前記レプリケーションステップにおいて、前記メインシステム用記憶装置が記憶している設定情報の変更前における設定情報のレプリケーションを記憶することを特徴とする請求項４又は５に記載のコンピュータシステムの稼動方法。
【発明の詳細な説明】
【技術分野】
【０００１】
本発明は、コンピュータシステムの障害対策技術に関する。
【背景技術】
【０００２】
従来のコンピュータシステムの障害対策では、コンピュータシステムの障害に対して、サーバ本体への対策又は記憶装置への対策が採用されていた（例えば、特許文献１参照。）。図３は、従来のコンピュータシステムの一例を示す概略構成図である。メインシステムサーバ１１はアプリケーションプログラムを格納する。メインシステム用記憶装置１２はメインシステムサーバ１１の動作の設定を設定する設定情報を記憶している。メインシステムサーバ１１は、メインシステム用記憶装置１２の記憶する設定情報に従ってアプリケーションプログラムを実行し、被制御システム１９を動作させる。
【０００３】
従来の障害対策では、メインシステムサーバ１１のほかに、１台以上のスタンバイシステムサーバ１７を設置していた。通常時はメインシステムサーバ１１のみを稼動させ、メインシステムサーバ１１が原因で被制御システム１９に不具合が生じた場合は、スタンバイシステムサーバ１７を稼動させることにより被制御システム１９を復旧していた。
【０００４】
スタンバイシステムサーバ１７は、メインシステムサーバ１１と同様の機能を備え、メインシステム用記憶装置１２の記憶する設定情報に従ってアプリケーションプログラムを実行する。このように、スタンバイシステムサーバ１７がメインシステム用記憶装置１２を参照することで、被制御システム１９としての連続性（過去に設定された設定情報）を保持していた。一方、メインシステム用記憶装置１２の障害への対策においては、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）構成などの障害対策がある。
【特許文献１】特開２００７−１９３４００公報
【発明の開示】
【発明が解決しようとする課題】
【０００５】
コンピュータシステムの更改時において書き換える設定の誤りに気づかないまま、メインシステム用記憶装置１２の記憶する設定情報を更新した場合、その設定情報は自動的にスタンバイシステム１７に引き継がれる。この場合、スタンバイシステム１７を稼動させても被制御システムの復旧を図ることはできない。
【０００６】
また、メインシステム用記憶装置１２の記憶する設定情報の誤りによって被制御システム１９に不具合が発生した場合、原因の特定に時間がかかることが多かった。さらにこの場合、復旧方法もバックアップデータを基に、設定情報だけでなくコンピュータシステム全体の再構築を余儀なくされることが多く、被制御システム１９の復旧までに多大な時間を要していた。
【０００７】
そこで、本発明は、メインシステム用記憶装置１２の設定情報の更新によって被制御システムの動作に不具合が発生した場合であっても、被制御システムを高い確率で迅速に復旧することができるコンピュータシステム及びその稼動方法の提供を目的とする。
【課題を解決するための手段】
【０００８】
上記目的を達成するため、本発明に係るコンピュータシステム及びその稼動方法は、被制御システムを動作させるメインシステムサーバ及びメインシステム用記憶装置のほかに、独立に、少なくとも１台のバックアップシステムサーバ及びバックアップシステム用記憶装置を備え、稼動実績のある設定情報に従ってバックアップシステムサーバがアプリケーションプログラムを実行することを特徴とする。
【０００９】
バックアップシステムサーバが、稼動実績のある設定情報に従ってアプリケーションプログラムを実行するので、被制御システムを高い確率で復旧することができる。さらに、メインシステムサーバとは独立したバックアップシステムサーバを稼動させるので、被制御システムを迅速に復旧することができる。
【００１０】
具体的には、本発明に係るコンピュータシステムは、被制御システムを動作させるアプリケーションプログラムを実行するメインシステムサーバと、前記メインシステムサーバの実行するアプリケーションプログラムの動作設定を定める設定情報を記憶するメインシステム用記憶装置と、前記メインシステムサーバの実行するアプリケーションプログラムと同じアプリケーションプログラムを実行するバックアップシステムサーバと、前記バックアップシステムサーバの実行するアプリケーションプログラムの動作設定を定める設定情報を記憶するバックアップシステム用記憶装置と、を備え、
前記メインシステムサーバは、前記メインシステム用記憶装置の記憶する設定情報に従ってアプリケーションプログラムを実行し、前記バックアップシステムサーバは、前記バックアップシステム用記憶装置の記憶する設定情報に従ってアプリケーションプログラムを実行し、前記バックアップシステム用記憶装置の記憶する設定情報は、前記メインシステム用記憶装置が過去に記憶していた設定情報のレプリケーションであることを特徴とする。
【００１１】
バックアップシステムサーバが、稼動実績のある設定情報に従ってアプリケーションプログラムを実行するので、被制御システムを高い確率で復旧することができる。さらに、バックアップシステムサーバがメインシステムサーバとは独立しているので、被制御システムを迅速に復旧することができる。よって、メインシステム用記憶装置の設定情報の更新によって被制御システムの動作に不具合が発生した場合であっても、被制御システムを高い確率で迅速に復旧することができる。
【００１２】
本発明に係るコンピュータシステムでは、前記バックアップシステム用記憶装置の記憶する設定情報が、前記メインシステム用記憶装置が予め定められた期日に記憶していた設定情報のレプリケーションであることが好ましい。バックアップシステムサーバが予め定められた期日の設定情報で被制御システムを動作させるので、復旧した被制御システムの状態を容易に把握することができる。
【００１３】
本発明に係るコンピュータシステムでは、前記メインシステム用記憶装置が記憶している設定情報の変更前における設定情報のレプリケーションであることが好ましい。動作設定の変更の直前の状態で被制御システムを動作させることができる。
【００１４】
本発明に係るコンピュータシステムの稼動方法は、被制御システムを動作させるアプリケーションプログラムを実行するメインシステムサーバと、前記メインシステムサーバの実行するアプリケーションプログラムの動作設定を定める設定情報を記憶するメインシステム用記憶装置と、前記メインシステムサーバの実行するアプリケーションプログラムと同じアプリケーションプログラムを実行するバックアップシステムサーバと、前記バックアップシステムサーバの実行するアプリケーションプログラムの動作設定を定める設定情報を記憶するバックアップシステム用記憶装置と、を備えるコンピュータシステムの稼動方法であって、前記メインシステムサーバが、前記メインシステム用記憶装置の記憶する設定情報に従ってアプリケーションプログラムを実行するメインシステムサーバ稼動ステップと、前記バックアップシステム用記憶装置が、前記メインシステム用記憶装置が過去に記憶していた設定情報のレプリケーションを記憶するレプリケーションステップと、前記被制御システムの不具合が生じた場合に、前記バックアップシステムサーバが、前記バックアップシステム用記憶装置の記憶する設定情報に従ってアプリケーションプログラムを実行するバックアップシステムサーバ稼動ステップと、を順に有することを特徴とする。
【００１５】
レプリケーションステップにおいて、稼動実績のある設定情報のレプリケーションを記憶するので、被制御システムを高い確率で復旧することができる。さらに、バックアップシステムサーバ稼動ステップにおいて、バックアップシステムサーバがメインシステムサーバとは独立しているので、被制御システムを迅速に復旧することができる。よって、メインシステム用記憶装置の設定情報の更新によって被制御システムの動作に不具合が発生した場合であっても、被制御システムを高い確率で迅速に復旧することができる。
【００１６】
本発明に係るコンピュータシステムの稼動方法では、前記レプリケーションステップにおいて、前記メインシステム用記憶装置が予め定められた期日に記憶していた設定情報のレプリケーションを記憶することが好ましい。バックアップシステムサーバが予め定められた期日の設定情報で被制御システムを動作させるので、復旧した被制御システムの状態を容易に把握することができる。
【００１７】
本発明に係るコンピュータシステムの稼動方法では、前記レプリケーションステップにおいて、前記メインシステム用記憶装置が記憶している設定情報の変更前における設定情報のレプリケーションを記憶することが好ましい。動作設定の変更の直前の状態で被制御システムを動作させることができる。
【発明の効果】
【００１８】
本発明によれば、正常に動作していた過去の状態がそのまま再現できるので、メインシステム用記憶装置の設定情報の更新によって被制御システムの動作に不具合が発生した場合であっても、被制御システムを高い確率で迅速に復旧することができる。
【発明を実施するための最良の形態】
【００１９】
添付の図面を参照して本発明の実施の形態を説明する。以下に説明する実施の形態は本発明の構成の例であり、本発明は、以下の実施の形態に制限されるものではない。図１は、本実施形態に係るコンピュータシステムの概略構成図である。
【００２０】
本実施形態に係るコンピュータシステムは、メインシステムサーバ１１とメインシステム用記憶装置１２と、バックアップシステムサーバ１３と、バックアップシステム用記憶装置１４と、を備える。本実施形態では、さらに、スイッチ１５及び１８と、スタンバイシステムサーバ１７と、管理装置１６と、被制御システム１９と、を備える例について説明する。
【００２１】
メインシステムサーバ１１と、スタンバイシステムサーバ１７と、メインシステム用記憶装置１２と、スイッチ１８とが、通常構成２１を構成する。バックアップシステムサーバ１３とバックアップシステム用記憶装置１４は、通常構成２１とは独立した独立構成２２となっている。図１では、独立構成２２は１つだが、複数であってもよい。
【００２２】
被制御システム１９は、コンピュータがアプリケーションプログラムを実行することによって動作するシステムであり、例えば、通信システム、計測システム又は交通システムである。本実施形態において、被制御システム１９は、メインシステムサーバ１１、スタンバイシステムサーバ１７又はバックアップシステムサーバ１３がアプリケーションプログラムを実行することによって動作する。
【００２３】
管理装置１６は、スイッチ１５及びスイッチ１８の切替を制御する。スイッチ１５は、被制御システム１９との接続先を、通常構成２１と独立構成２２との間で切り替える。スイッチ１８は、スイッチ１５との接続先を、メインシステムサーバ１１とスタンバイシステムサーバ１７との間で切り替える。
【００２４】
被制御システム１９に不具合が生じると、管理装置１６は、スイッチ１８を制御し、スイッチ１５との接続先を、メインシステムサーバ１１からスタンバイシステムサーバ１７へ切り替える。スタンバイシステムサーバ１７がアプリケーションプログラムを実行することによって被制御システム１９を動作させる。スタンバイシステムサーバ１７がアプリケーションプログラムを実行しても被制御システム１９が復旧しない場合、管理装置１６は、スイッチ１５を制御し、被制御システム１９との接続先を、通常構成２１から独立構成２２へ切り替える。独立構成２２は、メインシステム用記憶装置１２が過去に記憶していた設定情報のレプリケーションに従って被制御システム１９を動作させるので、被制御システム１９を高い確率で復旧することができる。通常構成２１での被制御システム１９の動作が可能になれば、管理装置１６は、スイッチ１５を制御して、被制御システム１９との接続先を、独立構成２２から通常構成２１へ切り替える。
【００２５】
管理装置１６は、被制御システム１９の不具合を検出することが好ましい。例えば、被制御システム１９から入力される情報によってメインシステムサーバ１１の稼動状態を把握して、不具合を検出する。被制御システム１９の不具合は、メインシステムサーバ１１、スタンバイシステムサーバ１７又はバックアップシステムサーバ１３の稼動状態を監視することで検出してもよい。なお、図１では、管理装置１６とメインシステムサーバ１１、スタンバイシステムサーバ１７及びバックアップシステムサーバ１３との接続線、及び、管理装置１６と被制御システム１９との接続線は省略した。
【００２６】
なお、スタンバイシステムサーバ１７は省略することができる。この場合、スイッチ１８は不要である。被制御システム１９に不具合が生じると、管理装置１６は、スイッチ１５を制御して、被制御システム１９との接続先を、メインシステムサーバ１１からバックアップシステムサーバ１３へ切り替える。メインシステムサーバ１１の再構築が完了すれば、管理装置１６は、スイッチ１５を制御して、被制御システム１９との接続先を、独立構成２２から通常構成２１へ切り替える。
【００２７】
メインシステムサーバ１１は、被制御システム１９を動作させるアプリケーションプログラムを実行する。メインシステム用記憶装置１２は、メインシステムサーバ１１の実行するアプリケーションプログラムの動作設定を定める設定情報を記憶する。メインシステムサーバ１１は、メインシステム用記憶装置１２の記憶する設定情報に従ってアプリケーションプログラムを実行する。被制御システム１９が通信システムの場合、設定情報は、例えば、ユーザ情報又は相手先構成情報である。この場合、メインシステムサーバ１１は、問い合わせのあったユーザに対し、ユーザごとに予め定められた相手先構成情報を読み出し、読み出した相手先構成情報に応じた制御情報を被制御システム１９へ出力する。
【００２８】
スタンバイシステムサーバ１７は、メインシステム用記憶装置１２の記憶する設定情報に従って、メインシステムサーバ１１の実行するアプリケーションプログラムと同じアプリケーションプログラムを実行する。メインシステム用記憶装置１２の記憶する設定情報を用いるので、最新の状態で被制御システム１９を復旧させることができる。
【００２９】
バックアップシステムサーバ１３は、メインシステムサーバ１１の実行するアプリケーションプログラムと同じアプリケーションプログラムを実行する。バックアップシステム用記憶装置１４は、バックアップシステムサーバ１３の実行するアプリケーションプログラムの動作設定を定める設定情報を記憶する。バックアップシステムサーバ１３は、バックアップシステム用記憶装置１４の記憶する設定情報に従ってアプリケーションプログラムを実行する。バックアップシステム用記憶装置１４の記憶する設定情報は、メインシステム用記憶装置１２が過去に記憶していた設定情報のレプリケーションである。このため、バックアップシステムサーバ１３は、稼動実績のある設定情報を用いて被制御システム１９を動作させるアプリケーションプログラムを実行することができる。
【００３０】
スタンバイシステムサーバ１７が被制御システム１９を動作させるアプリケーションプログラムを実行しても被制御システム１９が復旧しない場合には、メインシステム用記憶装置１２の記憶する設定情報に問題があることになる。この場合であっても、稼動実績のある設定情報を用いて被制御システム１９を動作させるアプリケーションプログラムを実行することができるので、確実に被制御システム１９を復旧させることができる。さらに、バックアップシステムサーバ１３がメインシステムサーバ１１と独立していることで、被制御システム１９を早急に復旧させることができる。
【００３１】
バックアップシステム用記憶装置１４の記憶する設定情報が、メインシステム用記憶装置１２が予め定められた期日に記憶していた設定情報のレプリケーションであることが好ましい。バックアップシステムサーバ１３が予め定められた期日の設定情報に従ってアプリケーションプログラムを実行するので、定められた期日の状態で被制御システム１９を動作させることができる。このため、復旧した被制御システム１９の状態を容易に把握し、復旧した被制御システム１９に対して対処すべき事項を明確にすることができる。
【００３２】
ここで、予め定められた期日とは、例えば、予め定められた年月日又は予め定められた年月日における時刻である。また、予め定められた期日は、一定期間であってもよい。一定期間が月単位であれば、毎月の予め定められた日にちにおける、メインシステム用記憶装置１２をバックアップシステム用記憶装置１４にレプリケートする。また、一定期間が週単位であれば、予め定められた曜日における、メインシステム用記憶装置１２をバックアップシステム用記憶装置１４にレプリケートする。月単位又は週単位で定期的にレプリケーションを作成することで、被制御システム１９の予想外の不具合に備えることができる。
【００３３】
さらに、バックアップシステム用記憶装置１４の記憶する設定情報が、メインシステム用記憶装置１２が記憶している設定情報の変更前のレプリケーションであることが好ましい。バックアップシステムサーバ１３がメインシステム用記憶装置１２が記憶している設定情報の変更前の設定情報に従ってアプリケーションプログラムを実行するので、設定情報の変更前の状態で被制御システム１９を動作させることができる。バックアップシステムサーバ１３及びバックアップシステム用記憶装置１４がメインシステムサーバ１１の動作設定の変更前の状態を再現することで、被制御システム１９を正常に動作させることができる。
【００３４】
さらに、バックアップシステムサーバ１３は、メインシステムサーバ１１の過去の状態のレプリケーションであることが好ましい。この場合、バックアップシステムサーバ１３とバックアップシステム用記憶装置１４の過去の状態は、共通のタイミングにおける過去の状態である。バックアップシステムサーバ１３を稼動させたときに、正常に動作していたメインシステムサーバ１１及びメインシステム用記憶装置１２をそのまま再現することができる。このため、バックアップシステムサーバ１３及びバックアップシステム用記憶装置１４は、メインシステムサーバ１１が記憶している情報などのソフトウェアに限らず、ハードウェアについてもレプリケートされることが好ましい。
【００３５】
本実施形態に係るコンピュータシステムの動作について図１及び図２を用いて説明する。図２は、本実施形態に係るコンピュータシステムの稼動方法の一例を示すフロー図である。メインシステムサーバ稼動ステップＳ１０１では、メインシステムサーバ１１が、メインシステム用記憶装置１２の記憶する設定情報に従ってアプリケーションプログラムを実行する。これによって、被制御システム１９が動作する。
【００３６】
レプリケーションステップＳ１０２では、バックアップシステム用記憶装置１４が、メインシステム用記憶装置１２が過去に記憶していた設定情報のレプリケーションを記憶する。例えば、管理装置１６が、通常構成２１側のメインシステム用記憶装置１２に記憶されている設定情報のバックアップファイルを作成する。バックアップファイルの作成は、一定期間ごと、又は、メインシステム用記憶装置１２が過去に記憶していた設定情報の変更前である。そして、バックアップファイル作成後、即時に独立構成２２側のバックアップシステム用記憶装置１４ヘファイル転送する。そして、管理装置１６が、バックアップシステム用記憶装置１４の記憶しているバックアップファイルを読み出し可能な状態に設定する。レプリケーションステップＳ１０２において、読み出し可能な状態に設定するのは、メインシステム用記憶装置１２が過去に記憶していた稼動実績のある設定情報が好ましい。
【００３７】
レプリケーションステップＳ１０２において、読み出し可能な状態に設定するのは、例えば、予め定められた期日に記憶していた設定情報である。また、読み出し可能な状態に設定するのは、メインシステム用記憶装置１２が過去に記憶していた設定情報の変更前における設定情報である。稼動実績のある設定情報をバックアップしておき、そのバックアップファイルに従ってバックアップシステムサーバ１３がアプリケーションプログラムを実行すれば、設定情報に誤りのない状態で被制御システム１９を復旧することができる。
【００３８】
異常判定ステップＳ１０３では、被制御システム１９に不具合が生じた場合に、管理装置１６が被制御システム１９の不具合を検出する。例えば、管理装置１６が被制御システム１９からログやレポートなどの動作状況を受け取り、その動作状況を管理装置１６が判定する。異常判定ステップＳ１０３で被制御システム１９の不具合が検出された場合、スタンバイシステムサーバ切替ステップＳ１０４へ移行する。異常判定ステップＳ１０３で異常が検出されなかった場合、本実施形態に係るコンピュータシステムの動作を終了する。
【００３９】
スタンバイシステムサーバ切替ステップＳ１０４では、管理装置１６がスイッチ１８を切替、スタンバイシステムサーバ１７を稼動させる。スタンバイシステムサーバ１７は、メインシステム用記憶装置１２の記憶する設定情報に従ってアプリケーションプログラムを実行し、被制御システム１９を動作させる。スタンバイシステムサーバ切替ステップＳ１０４の後、復旧判定ステップＳ１０５へ移行する。
【００４０】
復旧判定ステップＳ１０５では、被制御システム１９が正常に動作しているかを判定する。復旧判定ステップＳ１０５では、異常判定ステップＳ１０３と同様の方法を用いることができる。スタンバイシステムサーバ１７の稼動によっても被制御システム１９が復旧していないことで、設定情報の更新（正常でない更新）に起因した障害であるか否かを判定することができる。復旧判定ステップＳ１０５で被制御システム１９が正常に動作していると判定した場合、本実施形態に係るコンピュータシステムの動作を終了する。復旧判定ステップＳ１０５で被制御システム１９が復旧していないと判定した場合、バックアップシステムサーバ切替ステップＳ１０６へ移行する。
【００４１】
バックアップシステムサーバ切替ステップＳ１０６では、管理装置１６がスイッチ１５を切替、バックアップシステムサーバ１３を稼動させる。バックアップシステムサーバ１３は、バックアップシステム用記憶装置１４の記憶する設定情報に従ってアプリケーションプログラムを実行し、被制御システム１９を動作させる。バックアップシステム用記憶装置１４の記憶する設定情報は、被制御システム１９が正常に動作していた状態での設定情報であるので、被制御システム１９を高い確立で正常に動作させることができる。そして、バックアップシステムサーバ切替ステップＳ１０６の後、本実施形態に係るコンピュータシステムの動作を終了する。
【産業上の利用可能性】
【００４２】
不具合が生じても動作を中断できないコンピュータシステムに利用することができる。
【図面の簡単な説明】
【００４３】
【図１】本実施形態に係るコンピュータシステムの概略構成図である。
【図２】本実施形態に係るコンピュータシステムの稼動方法の一例を示すフロー図である。
【図３】従来のコンピュータシステムの一例を示す概略構成図である。
【符号の説明】
【００４４】
１１  メインシステムサーバ
１２  メインシステム用記憶装置
１３  バックアップシステムサーバ
１４  バックアップシステム用記憶装置
１５、１８  スイッチ
１６  管理装置
１７  スタンバイシステムサーバ
１９  被制御システム
２１  通常構成
２２  独立構成
【図１】
2009116560.tif 000003
【図２】
2009116560.tif 000004
【図３】
2009116560.tif 000005